(57)【特許請求の範囲】
【請求項１】
固定子及び回転子を収容した電動機ケースから突出された回転子軸に取付けた遠心型のファンと前記電動機ケースが有するケース内風路との間に前記ファンから吐出される風を前記ケース内風路に導くディフューザを配置するとともに、このディフューザ及び前記ファンを覆って前記電動機ケースにファンカバーを取付け、かつ、前記ディフューザが前記ファンから吐出される風を前記ファンカバーの内周面方向に導く通路を前記ファンの外周に位置して有する電動送風機において、
前記ファンカバーを前記電動機ケースの一端開口縁部が有する外周突部に嵌合させて取付けるとともに、前記ファンカバーの内周面に接した前記外周突部に設けられて外周に開放する切欠きと前記ファンカバーとで、前記通路から前記ケース内風路に至る風の一部を外部に逃がす排出口を形成したことを特徴とする電動送風機。
【請求項２】
固定子及び回転子を収容した電動機ケースから突出された回転子軸に取付けた遠心型のファンと前記電動機ケースが有するケース内風路との間にディフューザを配置し、このディフューザ及び前記ファンを覆って前記電動機ケースにファンカバーを取付け、かつ、前記ディフューザが、ディフューザベースの一面に前記ファンを取囲んでこのファンから吐出される風を前記ファンカバーの内周面方向に導く複数の第１ディフューザ通路を有し、前記ディフューザベースの他面に前記第１ディフューザ通路を通って送り出された風を前記ケース内風路に導く複数の第２ディフューザ通路を有してなる電動送風機において、
前記ファンカバーを前記電動機ケースの一端開口縁部が有する外周突部に嵌合させて取付けるとともに、前記ファンカバーの内周面に接した前記外周突部に設けられて外周に開放する切欠きと前記ファンカバーとで、前記第１ディフューザ通路から前記第２ディフューザ通路に至る風の一部を前記電動機ケースの外部に逃がす排出口を形成したことを特徴とする電動送風機。
【請求項３】
前記電動機ケースがその一端開口縁部に形成された円筒部から軸方向に延びる延出部位を有し、この延出部位と対向する前記ファンカバーの開口縁部との間に、前記排出口に対してその下流側に連なる流出ガイド風路を設けたことを特徴とする請求項１又は２に記載の電動送風機。
【請求項４】
前記各排出口を前記第２ディフューザ通路の入口に対する風の流れ込み方向における上流側入口部分に対応させて設けたことを特徴とする請求項２又は３に記載の電動送風機。
【請求項５】
掃除機本体に電動送風機とこの送風機より上流側に配置されるフィルタとを内蔵し、前記電動送風機の動作により前記掃除機本体の吸塵口から空気を吸込んで、この吸込んだ空気を前記フィルタに通し塵埃を捕捉して掃除を行なう電気掃除機において、前記電動送風機が前記請求項１から４の内のいずれか一項に記載の電動送風機であることを特徴とする電気掃除機。
【発明の詳細な説明】
【０００１】
【発明の属する技術分野】
本発明は、空気の吸込み駆動源として電気掃除機の掃除機本体等に内蔵して使用される電動送風機、及びこれを備えた電気掃除機に関する。
【０００２】
【従来の技術】
電気掃除機等に使用される電動送風機は、遠心型のファンから吐出される風の動圧を静圧化するためのディフューザを備えるものが多く、最近ではディフューザ通路を長く確保するためにディフューザベースの一面に複数の第１ディフューザ通路を有するとともに、他面に複数の第２ディフューザ通路を有してなるディフューザが採用されている。第１ディフューザ通路はファンを取囲んで設けられて、ファンから吐出される風を、ファン及びディフューザを覆い隠して設けたファンカバーの内周面方向に導くために設けられている。第２ディフューザ通路は第１ディフューザ通路を通って送り出された風を、ファンカバーが取付けられた電動機ケースが有するケース内風路に導くために設けられている。
【０００３】
このようなディフューザを用いる従来の電動送風機では、第１ディフューザ通路から第２ディフューザ通路を経由してケース内風路を通り、この風路の下流側に位置して電動機ケースに設けられたケース排気口に至る一連の風路は、閉じられた風路で形成されており、この一連の風路を通ってファンから吐出された風の全てがケース排気口から外部に排出されるようになっている。
【０００４】
【発明が解決しようとする課題】
前記構成の電動送風機では、第１ディフューザ通路を備えるから、この風路の出口とファンカバーの内周面とが接近してしまう。そのため、これら出口と前記内周面との間の狭い空隙を通って第１ディフューザ通路からファンカバーの内周面方向に送り出された風は、急激に方向を変えてケース内風路に風を導く第２ディフューザ通路に流入する。前記狭い空隙は、第１ディフューザ通路の出口と第２ディフューザ通路の入口とファンカバーの内周面との間に設けられて、風の方向変換部をなしている。
【０００５】
前記のように風の方向を変える方向変換部はその風路容積が小さく、そして、この変換部で風が急激に方向変換されることにより、前記方向変換部の静圧が高まって損失を発生し易い。したがって、ファン効率が低く、かつ、このファン効率とモータ効率との掛け算により算出される送風機効率がよくないという問題がある。そのため、掃除機本体に内蔵された電動送風機の動作により、掃除機本体の吸塵口から空気を吸込んで、この吸込んだ空気を掃除機本体に内蔵したフィルタに通して塵埃を捕捉し掃除を行なう電気掃除機にあっても、その吸込み仕事率が低いという問題がある。
【０００６】
したがって、本発明が解決しようとする第１の課題は、送風機効率を向上できる電動送風機を得ることにある。
【０００７】
また、本発明が解決しようとする第２の課題は、吸込み仕事率を向上できる電気掃除機を得ることにある。
【０００８】
【課題を解決するための手段】
前記第１の課題を解決するために、請求項１の発明は、固定子及び回転子を収容した電動機ケースから突出された回転子軸に取付けた遠心型のファンと前記電動機ケースが有するケース内風路との間に前記ファンから吐出される風を前記ケース内風路に導くディフューザを配置するとともに、このディフューザ及び前記ファンを覆って前記電動機ケースにファンカバーを取付け、かつ、前記ディフューザが前記ファンから吐出される風を前記ファンカバーの内周面方向に導く通路を前記ファンの外周に位置して有する電動送風機において、前記ファンカバーを前記電動機ケースの一端開口縁部が有する外周突部に嵌合させて取付けるとともに、前記ファンカバーの内周面に接した前記外周突部に設けられて外周に開放する切欠きと前記ファンカバーとで、前記通路から前記ケース内風路に至る風の一部を外部に逃がす排出口を形成したことを特徴とするものである。
この請求項１の発明においては、ファンから吐出された風をファンカバーの内周面方向に導くディフューザの通路から電動機ケースのケース内風路に至る風の一部を、排出口を通して外部に逃すことにより、前記通路からケース内風路に至る風が急激に方向変換されるにも拘らず、この方向変換部で静圧が上昇することを抑制できる。
【０００９】
前記第１の課題を解決するために、請求項２の発明は、固定子及び回転子を収容した電動機ケースから突出された回転子軸に取付けた遠心型のファンと前記電動機ケースが有するケース内風路との間にディフューザを配置し、このディフューザ及び前記ファンを覆って前記電動機ケースにファンカバーを取付け、かつ、前記ディフューザが、ディフューザベースの一面に前記ファンを取囲んでこのファンから吐出される風を前記ファンカバーの内周面方向に導く複数の第１ディフューザ通路を有し、前記ディフューザベースの他面に前記第１ディフューザ通路を通って送り出された風を前記ケース内風路に導く複数の第２ディフューザ通路を有してなる電動送風機において、前記ファンカバーを前記電動機ケースの一端開口縁部が有する外周突部に嵌合させて取付けるとともに、前記ファンカバーの内周面に接した前記外周突部に設けられて外周に開放する切欠きと前記ファンカバーとで、前記第１ディフューザ通路から前記第２ディフューザ通路に至る風の一部を前記電動機ケースの外部に逃がす排出口を形成したことを特徴とするものである。
【００１０】
この請求項２の発明においては、第１ディフューザ通路の出口と第２ディフューザ通路の入口とファンカバーの内周面との間に形成された風の方向変換部の風路容積が小さく、しかも、この変換部で風が急激に方向変換されるにも拘らず、前記方向変換部から排出口を通して一部の風を電動機ケース外に逃がすことにより、前記方向変換部の静圧が上昇することを抑制できる。
【００１２】
又、前記請求項１又は２の発明を実施するにあたり、排出口からの風の流出をより容易にして前記方向変換部の静圧の上昇を一層抑制するための手段として、請求項３の発明のように、前記電動機ケースがその一端開口縁部に形成された円筒部から軸方向に延びる延出部位を有し、この延出部位と対向する前記ファンカバーの開口縁部との間に、前記排出口に対してその下流側に連なる流出ガイド風路を設けるとよい。
【００１４】
前記請求項２又は３の発明を実施するにあたり、前記方向変換部の静圧の上昇を一層抑制するために請求項４の発明のように、前記各排出口を前記第２ディフューザ通路の入口に対する風の流れ込み方向における上流側入口部分に対応させて設けるとよい。
【００１６】
又、前記第２の課題を解決するために、請求項５の発明は、掃除機本体に電動送風機とこの送風機より上流側に配置されるフィルタとを内蔵し、前記電動送風機の動作により前記掃除機本体の吸塵口から空気を吸込んで、この吸込んだ空気を前記フィルタに通して塵埃を捕捉し掃除を行なう電気掃除機において、前記電動送風機が前記請求項１から４の内のいずれか一項に記載の電動送風機であることを特徴とするものである。
【００１７】
この請求項５の発明においては、請求項１から４の内のいずれかの電動送風機を採用したことにより、この送風機の送風機効率の向上に伴って吸込み能力を向上できる。
【００１８】
【発明の実施の形態】
以下、図１〜図６を参照して本発明の第１の実施の形態を説明する。
【００１９】
キャニスタ型の電気掃除機を例示する図１中符号１は掃除機本体であり、その前側下面には図示しないキャスタが取付けられているとともに、後側下部には一対の後部車輪２（一方のみ図示）が取付けられている。この掃除機本体１の前部の内側空間は集塵室となっており、そこに紙バッグ等の集塵用のフィルタ３が収容されている。掃除機本体１の前部上側壁をなす蓋体４は集塵室を上側から開閉するものであり、この蓋体４を開いた状態でフィルタ３が着脱されるようになっている。
【００２０】
掃除機本体１の前端面には集塵室に連通する吸塵口５が設けられ、この口５には吸塵ホース６の一端部に設けられた接続管７が着脱可能に差込み接続される。吸塵ホース６の他端部には操作ハンドル８が設けられ、このハンドル８には後述の電動送風機の運転を制御するために各種の操作スイッチ９が設けられている。操作ハンドル８には延長管１０等を介して図示しない吸込み口体が着脱可能に差込み接続され、これら互いに連通する吸込み口体、延長管１０、吸塵ホース６等を通って塵埃を含んだ空気が吸塵口５に吸込まれるようになっている。
【００２１】
掃除機本体１の後部には電動送風機１１が内蔵されている。この送風機１１が運転されるに伴い、前記のように塵埃を含んだ空気が吸塵口５に吸込まれて、この空気が電動送風機１１の上流側に配置された前記フィルタ３に通されるので、フィルタ３で塵埃を捕捉し、それによって床面等を掃除することができる。なお、図１中１２は起倒可能に掃除機本体１の上面に取付けられた持ち運び用のハンドルである。
【００２２】
次に、図２〜図５を参照して電動送風機１１の構成について説明する。この送風機１１は、電動機ケース１５と、ファン１６と、ファンカバー１７と、ディフューザ１８と、排出口１９とを具備している。
【００２３】
図３に示すように金属製の電動機ケース１５は、ケース本体２１にケース端面板２２を連結して形成されている。図３及び図４に示すようにケース本体２１は、一端面が開口されるとともにこの開口と対向する他端に底壁を有した円筒形の本体主部２３と、一端開口縁部２４とを有している。本体主部２３の底壁側には径方向に向い合うように一対のケース排気口２５が開けられているとともに、これら排気口２５間において夫々ブラシ装置２６が径方向に挿通して取付けられている。
【００２４】
一端開口縁部２４は、ケース本体２１の一端開口縁から外側に向けて一体に張り出した環状平面部２７と、この平面部２７の先端から本体主部２３と平行に前記底壁側に向けて折り曲げられた短い円筒部２８と、この円筒部２８の先端から外側に向けて折り曲げられた外周突部２９とから形成されている。平面形状が略帯板状の前記ケース端面板２２は、その両端部を環状平面部２７に固定して前記一端開口を横切って設けられており、長手方向中央部には軸受３０が取付けられている。この軸受３０と対応してケース本体２１の前記底壁中央部にも軸受３１が取付けられている。
【００２５】
前記構成のケース本体２１内には、軸方向から見た外形形状が略四角形をなす固定子鉄心に固定子巻線を取付けた固定子４１が収容されているとともに、この固定子４１の内側に配置される回転子４２が収容されている。固定子４１はその固定子鉄心の四隅を本体主部２３の内周面に圧接させて収容され、それにより、本体主部２３の内周面とこれに対向する固定子鉄心の外面との間に夫々ケース内風路４３（図３に一つのみ示す。）が形成されている。これらケース内風路４３は、その上流側において前記一端開口に連通し、下流側において前記ケース排気口２５に連通されている。
【００２６】
回転子４１が備える回転子軸４４は、前記軸受３０、３１に回転自在に支持されているとともに、ケース端面板２２を貫通して電動機ケース１５外に突出されている。この回転子軸４４の軸受３１側には整流子４５が取付けられている。整流子４５の周面には前記ブラシ装置２６が有するカーボンブラシ２６ａが弾性的に押付け保持されている。前記電動機ケース１５、ブラシ装置２６、固定子４１、回転子４２、及び整流子４５等は、電動機部を形成している。
【００２７】
図３及び図４に示されるように電動機ケース１５外において回転子軸４４には、この軸４４に螺合されるナット４６を介して遠心型の金属製ファン１６が取付けられている。ファン１６は、回転子軸４４に固定された円板形状のベースプレート４８と、中央部に吸込み口４９ａを有した笠状のカバープレート４９とを、複数枚の円弧状ブレード５０で連結して形成されている。ファン１６の外周部は風の吐出し口１６ａをなしている。このファン１６と前記ケース内風路４３との間には合成樹脂製のディフューザ１８が配置されており、これらファン１６及びディフューザ１８を覆って金属製のファンカバー１７が電動機ケース１５に取付けられている。前記吸込み口４９ａと接近して対向する吸気口１７ｃを有してカップ状をなすファンカバー１７は、その吸気口１７ｃを設けた側とは反対側の開口縁部１７ｄを前記外周突部２９の先端面に圧入気味に嵌合することにより取付けられている。
【００２８】
図３〜図５に示されるようにディフューザ１８は、前記ベースプレート４８の裏面に接近して設けられるディフューザベース５１の一面に複数の第１ディフューザ通路５２を設け、他面に複数の第２ディフューザ通路５３を設けている。ディフューザベース５１は、前記ベースプレート４８よりも大径であって、その外周端はファンカバー１７の筒部の内周面１７ａに接近され、かつ、中央に形成した凹部は前記ケース端面板２２にねじ止めされている。もちろん、前記凹部には回転子軸４４が貫通されている。
【００２９】
図４に示されるように各第１ディフューザ通路５２は、ディフューザベース５１の周部におけるファン１６側の面に一体に突設された複数枚の円弧状の第１ディフューザ羽根５４相互間に夫々形成されていて、ファン１６の周囲を囲んで設けられている。各第１ディフューザ羽根５４はファンカバー１７の内周面１７ａに直角に連なった環状肩部１７ｂの内面に当接されている。各ディフューザ通路５２の入口はファン１６の前記吹出し口１６ａに接近して対向され、この入口よりも広がった出口はファンカバー１７の内周面に接近して対向されている。
【００３０】
図５等に示されるように各第２ディフューザ通路５３は、ディフューザベース５１における電動機ケース１５側の面に一体に突設された複数枚の円弧状の第２ディフューザ羽根５５相互間に夫々形成されていて、これらの羽根５５の入口側部分は前記環状平面部２７に当接されている。第２ディフューザ通路５３の入口もファンカバー１７の内周面１７ａに接近して対向され、この入口はそれへの風の流れ込み方向における上流側から下流側に向けて次第に広く形成されている。なお、便宜上図４及び図５中符号Ａで上流側入口部分の領域長さを示し、同図中Ｂで下流側入口部分の領域長さを示す。又、第２ディフューザ通路５３の出口側は前記ケース本体２１の一端開口に対向している。
【００３１】
図３に示されるように第１ディフューザ通路５２の出口と第２ディフューザ通路５３の入口とこれらに接近したファンカバー１７の内周面１７ａとの間の風路は、風の方向変換部５６をなしている。方向変換部５６の風路容積は小さく、又、第１ディフューザ通路５２の出口から方向変換部５６を経由して第２ディフューザ通路５３の入口へと至る風の流れの曲りは急激である。
【００３２】
次に、前記排出口１９について説明する。この排出口１９は、第１ディフューザ通路５２の出口から方向変換部５６を経由して第２ディフューザ通路５３の入口へと至る風の一部を電動機ケース１５の外部に逃がすために設けたもので、図３及び図４等に示されるように前記外周突部２９に所定間隔毎に設けた切欠き５７と、ファンカバー１７の開口縁部１７ｄとで形成されている。各切欠き５７は外周突部２９の周方向に延びて設けられているので、各排出口１９は図２（Ｂ）に示されるようにファンカバー１７の内周面１７ａに沿って延びる細長い孔をなしている。各排出口１９は第２ディフューザ通路５３の数と同数設けられているととともに、前記符号Ａで示した上流側入口部分に対応して設けられている。
【００３３】
前記構成の電動送風機１１を掃除機本体１内に組込むにあたり、この送風機１１には図２（Ａ）に示されるように気密保持用のゴム６１と、サポートゴム６２、６３が取付けられるとともに、合成樹脂の排気カバー６４が取付けられる。ゴム６１は、リング形であってファンカバー１７の開口縁部１７ｄ側の外周面に嵌合して接着剤で固定されている。サポートゴム６２は、前記ゴム６１よりも幅が広く、ファンカバー１７の環状肩部１７ａの外面から前記嵌合縁部４９の外面にわたって嵌合されていて、前記ゴム６１を覆い隠している。サポートゴム６２とファンカバー１７との間の気密は主として前記ゴム６１により実現されている。なお、６２ａは前記吸気口１７ｃを露出させるためにサポートゴム６２に設けた開口である。他のサポートゴム６３は前記本体主部２３の底壁外面に嵌合されている。そして、電動送風機１１はそのサポートゴム６２、６３を掃除機本体１内の図示しない支持リブに支持させて防振的に掃除機本体１に内蔵されている。
【００３４】
前記排気カバー６４は、カップ状に形成されていて、その開口縁部をサポートゴム６２に密に嵌合させて取付けられている。この嵌合により、サポートゴム６２と排気カバー６４との間の気密が保持されている。排気カバー６４は電動機ケース１５を覆い隠しているとともに、その底壁にサポートゴム６３が被さった部分を突出させる孔６４ａを有している。図２（Ｂ）に示されるように排気カバー６４の内側にはその周壁に沿うように並んで前記各排出口１９が臨んでおり、したがって、排気カバー６４の内部空間を介して各排出口１９と前記ケース排気口２５とは連通されている。なお、図示の排気カバー６４は円筒形であるが、これに制約されるものではなく、掃除機本体１の内部構造、例えば電動送風機１１の側方に隣接してコードリールを配置する場合には、このリールの配置スペースを確保するためにリールの一部を逃げる凹みを設ける等適宜な形状変更が可能であるとともに、図示のような独立した排気カバーに代えて掃除機本体の一部に排気カバー相当部を設けて実施することもできる。
【００３５】
排気カバー６４の周壁には例えば２個のカバー排気口６５が開けられている。これら排気口６５は前記ケース排気口２５に対して排気カバー６４の径方向に直接対向することなく周方向にずれた位置に設けられている。カバー排気口６５の総面積は排気カバー６４の周壁の半周分以下とすると良い。取分け、カバー排気口６５の数を一つとすることは、ケース排気口２５からカバー排気口６５に至る風路長さを長く確保できる点で優れている。
【００３６】
前記電動送風機１１を動作させると、その回転子４２の回転とともにファン１６が回転されるから、このファン１６はその吸込み口４９ａから空気を吸込みながら周部の吐出し口１６ａから吐出す送風作用を営む。この送風作用によりファン１６から吐出された風は、入口から出口に至るにしたがって次第に風路断面積が大きくなっている第１ディフューザ通路５２を通ってファンカバー１７の内周面１７ａに向けて導かれる。そして、第１ディフューザ通路５２の出口から出た風は、風路容積が小さな方向変換部５６においてファンカバー１７の内周面１７ａに沿って流動しながら、急激に流れ方向を変えて図４中矢印Ｄに示すように第２ディフューザ通路５３の入口に流入して、この通路５３を通って回転子軸４４方向（求心方向）に流動しながら電動機ケース１５のケース内風路４３に向けて導かれる。こうしてケース内風路４３を通る風は固定子４１等を空冷した後に、前記風路４３の下流位置にあるケース排気口２５を通って電動機ケース１５の外部に排出される。
【００３７】
このように電動機ケース１５内を通る風の流れが生起されることによって、塵埃を含んだ空気が、図示しない吸込み口体から延長管１０及び吸塵ホース６を経て掃除機本体１の吸塵口５から集塵室内に吸込まれ、この塵埃を含んだ空気はフィルタ３に通される。フィルタ３を通過した空気はファンカバー１７の吸気口１７ｃを通してファン１６に吸込まれる。したがって、この電気掃除機は、フィルタ３により塵埃を捕捉して、床等を掃除することができる。
【００３８】
ところで、ファン１６を取り巻く第１ディフューザ通路５２がある関係で、既述のように前記方向変換部５６の風路容積は小さく、かつ、ここでの風の曲り方が急激であるに拘らず、この方向変換部５６での風損を小さくできる。
【００３９】
すなわち、電動機ケース１５が備える一端開口縁部２４の外周突部２９に、方向変換部５６に臨む複数の排出口１９を設けたから、図４中矢印Ｄに示されるように方向変換して第２ディフューザ通路５３の入口に流入しようとする風の一部は、前記ケース内風路４３を通ることなく、図４中矢印Ｅに示すように複数の排出口１９を通って前記一端開口縁部２４の裏面側に排出される。こうした排気により、方向変換部５６での余剰静圧を電動機ケース１５外に逃がして、方向変換部５６の静圧を下げることができるので、方向変換部５６での損失を少なくできる。したがって、ファン効率を向上できるため、このファン効率にモータ効率を乗じた値であらわされる送風機効率を向上できる。
【００４０】
しかも、前記のように余剰静圧を逃がす複数の排出口１９をファンカバー１７の内周面１７ａに沿って延びる細長い孔で形成したから、各排出口１９の面積を大きく確保して、より効果的に余剰静圧を逃がすことができる。更に、これら排出口１９の数が第２ディフューザ通路５３と同じであるので、各ディフューザ通路５３の入口側において夫々対応した排出口１９から余剰静圧を逃がすことができる。そのため、各第２ディフューザ通路５３の入口側の静圧のばらつきが防止されるに伴い、各第２ディフューザ通路５３を通る風の圧力のばらつきを少なくできるので、これら通路５３からケース内風路４３へ風が流入する際に乱流を生じることを抑制でき、円滑に風を送り込むことができる。
【００４１】
その上、前記のようなディフューザ１８を用いる構成においては、第２ディフューザ通路５３の入口における上流側入口部分が前記方向変換部５６の中で最も狭く、それ故に静圧が上がり易い部分であるが、この上流側入口部分に複数の排出口１９を夫々対応させて設けて、これらを通して風を外部に流出させ前記上流側入口部分から余剰静圧を逃がすので、前記方向変換部５６の静圧の上昇を抑制する効果をより高めることができる。ちなみに、前記上流側入口部分ではなくこれの下流側に連続する下流側入口部分に排出口１９を対応させて設け、そこから余剰静圧を逃がす場合にも、方向変換部５６の静圧を下げることは可能であるが、前記上流側入口部分での静圧が大きく下がりずらいので、方向変換部５６全体としては目標とする程度まで十分に静圧を下げることができない。
【００４２】
更に、余剰静圧を逃す各排出口１９を電送機ケース１５のうち、ケース本体２１の円筒部２８から張り出した外周突部２９に設けた切欠き５７と、外周突部２９に嵌合したファンカバー１７の開口縁部１７ｄとの間に形成したから、方向変換部５６から排出口１９に至る距離を円筒部２８の長さに応じて確保できる。そのため、方向変換部５６から排出口１９に至る風の流れが穏やかになって、この流路での損失を少なくできるから、前記方向変換部５６の静圧の上昇を抑制する効果をより高めることができる。
【００４３】
以上のように第１ディフューザ通路５２の出口から第２ディフューザ通路５４の入口に至る風の一部を電動機ケース１５外に逃がす排出口１９を設けて、方向変換部５６の静圧上昇を抑制した前記構成の電動送風機１１の送風機効率は、図６のグラフに示すようにすべての風量域にわたり上昇することが確かめられた。なお、図６のグラフは、ＪＩＳに規定される評価法にしたがって前記構成の電動送風機１１を掃除機本体１に組込んだ電気掃除機を用いて、その延長管１０の先端でどれだけの風量を吸込むことができるかということ（すなわち、吸込み仕事率）を測定し、この仕事率をもって送風機効率をとして評価したものである。
【００４４】
前記構成の電動送風機１１を備える電気掃除機は以上のように吸込み仕事率を向上できる反面で、排出口１９を通して風の一部を電動機ケース１１の外部に排出させるので、このような排気構造を持たない電気掃除機に比較して騒音が高くなる。ところで、一般に電気掃除機の騒音を低下させるためには、電動送風機１１の電動機部の周囲を多孔質のスポンジや不織布、又は紙等の排気フィルター等の消音材で囲んで、この消音材で音を減衰させる対策が採用されている。したがって、排出口１９を有したもので消音をするためには、前記消音材をより多く用いなければならず、掃除機本体１の大型化やコストアップを招くと考えられる。
【００４５】
しかし、図２に示したように前記電動送風機１１にはその電動機部を覆って合成樹脂製の排気カバー６４を取付けたから、このカバー６４の質量自体での音の減衰作用の他に、以下のように排気風路が長く、かつ、互いに異なる音の混合に伴う打ち消し作用によって音を減衰できる。
【００４６】
すなわち、図２（Ｂ）中矢印Ｆ１に示すように一方のケース排気口２５から流出した排気は、そのままカバー排気口６５から直接出ることなく、これら排気口６５間のカバー周壁部分６４ｂａに邪魔されてこれを迂回するように流動してカバー排気口６５から流出されるので、排気風路を長くできる。取分け、他方のカバー排気口６５から出た排気は、図２（Ｂ）中矢印Ｆ２に示すように排気カバー６４の内周面に沿って半周近く回り込んでカバー排気口６５から流出されるので、排気風路をより長くできる。したがって、排気騒音を減衰できる。
【００４７】
又、ファン１６に近い各排出口１９から流出する風の速度は速い。一方、第１、第２のディフューザ通路５２、５３及び電動機ケース１５内のケース内風路４３等を通ってケース排気口２５から図２（Ｂ）中矢印に示したように流出する風は、流出するまでの流路抵抗によって速度が遅くなっているとともにその音質が変化して、前記排出口１９から出る風とは異なっている。そして、これら互いに異なる風、つまり、排気カバー６４の内周面に沿うように排気カバー６４内に流出する風と、ケース排気口２５から図２（Ｂ）中矢印Ｆ１、Ｆ２に示したように流出する風とが互いに排気カバー６４内で干渉するので、その混合に伴う音の打ち消し作用によって、排気騒音を減衰できる。
【００４８】
以上のように排気カバー６４を使用することで排気騒音を小さくできるので、電動機部の周囲を囲んで配置される消音材の使用量を少なくでき、それに伴い、掃除機本体１の大型化やコストアップを抑制できる。
【００４９】
図７および図８は本発明の第２の実施の形態を示している。この実施の形態は基本的には前記第１の実施の形態と同様な構成であるので、同様構成部分には前記第１の実施の形態と同じ符号を付して、その構成および作用の説明を省略し、以下異なる部分について説明する。第２の実施の形態が第１の実施の形態と異なる部分は、排出口回りの構成である。
【００５０】
すなわち、第２の実施の形態において、電動機ケース１５の円筒部２８には、これから排出口１９に連続して各排出口１９の下流側に延びる延出部位２８ａが形成されている。言い換えれば、円筒部２８の周方向に間隔的に延出部位２８ａを残しながら、外周突部２９が切起こされている。そして、円筒部２８から外側に張り出した外周突部２９の先端にファンカバー１７を嵌合して取付けることにより、このカバー１７の開口縁部１７ｄは各延出部位２８ａに対向されている。これら相対向した各延出部位２８ａと開口縁部１７ｄとの間には、排出口１９に対してその下流側に連なる流出ガイド風路３５が形成されている。なお、以上の点以外の構成は、図７及び図８に図示されない部分を含めて前記第１の実施の形態と同じである。
【００５１】
この第２の実施の形態の構成においても、第１ディフューザ通路５２の出口から第２ディフューザ通路５３の入口に至る風の一部を電動機ケース１外に逃がす排出口１９を設けて、方向変換部５６の静圧上昇を抑制できるので、前記第１の実施の形態と同じく本発明の第１及び第２の課題を解決できる。しかも、各排出口１９に対してその下流側に連なる流出ガイド風路３５を設けたから、この風路３５で排出口１９を通った風を案内して、各排出口１９から風を出し易くできる。したがって、方向変換部５６の静圧上昇を一層抑制でき、電動送風機１１の送風効率をより向上できるとともに、この電装送風機１１を内蔵した電気掃除機の吸込み仕事率をより向上できる。
【００５２】
【発明の効果】
本発明は、以上説明したような形態で実施され、以下に記載されるような効果を奏する。
【００５３】
請求項１に記載の発明に係る電動送風機によれば、ファンから吐出された風をファンカバーの内周面方向に導くディフューザの通路から電動機ケースのケース内風路に至る風の一部を、排出口を通して外部に逃して、前記通路からケース内風路に至る部分の静圧の上昇を抑制したので、送風効率を向上できる。
請求項２に記載の発明に係る電動送風機によれば、第１ディフューザ通路から第２ディフューザ通路に至る風の一部を排出口を通して電動機ケース外に逃がして、第１ディフューザ通路から第２ディフューザ通路に至る部分の静圧の上昇を抑制したので、送風機効率を向上できる。
【００５４】
請求項５に記載の発明に係る電気掃除機によれば、請求項１から４に記載の発明に係る電動送風機を用いるから、この電動送風機の送風機効率の向上に伴い、吸込み仕事率を向上できる。
【図面の簡単な説明】
【図１】本発明の第１の実施の形態に係る電動送風機を備えた電気掃除機の構成を示す斜視図。
【図２】（Ａ）は各種ゴム及び排気カバーが取付けられた第１の実施の形態に係る電動送風機の構成を示す縦断面図。（Ｂ）は図２（Ａ）中Ｚ−Ｚ線に沿って示す断面図。
【図３】第１の実施の形態に係る電動送風機の構成を一部断面して示す側面図。
【図４】第１の実施の形態に係る電動送風機の構成を一部切欠いて示す分解斜視図。
【図５】第１の実施の形態に係る電動送風機が備えるディフューザの構成を第２ディフューザ通路側から見て示す斜視図。
【図６】第１の実施の形態に係る電動送風機と従来例に係る電動送風機の風量と送風機効率との関係を比較して示すグラフ。
【図７】本発明の第２の実施の形態に係る電動送風機の一部の構造を示す断面図。
【図８】第２の実施の形態に係る電動送風機の電動機ケースをこれに取付けられたディフューザと共に示す斜視図。
【符号の説明】
１…掃除機本体、
３…フィルタ、
５…吸塵口、
１１…電動送風機、
１５…電動機ケース、
１６…ファン、
１６ａ…ファンの吐出し口、
１７…ファンカバー、
１７ａ…ファンカバーの内周面、
１７ｄ…ファンカバーの開口縁部、
１８…ディフューザ、
１９…排出口、
２４…電動機ケースの一端開口部、
２５…ケース排気口、
２７…環状平面部（一端開口部）、
２８…円筒部（一端開口部）、
２８ａ…円筒部の延出部位、
２９…外周突部、
３５…流出ガイド部、
４１…固定子、
４２…回転子、
４３…ケース内風路、
４４…回転子軸、
５１…ディフューザベース、
５２…第１ディフューザ通路、
５３…第２ディフューザ通路、
５６…方向変換部、
５７…切欠き、
６４…排気カバー、
６５…カバー排気口。
【図１】
0003597041.tif 000002
【図２】
0003597041.tif 000003
【図３】
0003597041.tif 000004
【図４】
0003597041.tif 000005
【図５】
0003597041.tif 000006
【図６】
0003597041.tif 000007
【図７】
0003597041.tif 000008
【図８】
0003597041.tif 000009